【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
ネットワークノードに対して、第１のメッセージを送信するためのリソースをワイヤレスデバイスにグラントするように前記ネットワークノードに要求する要求メッセージを送信すること（１９１０）と、
前記ネットワークノードから、前記第１のメッセージを送信するための前記リソースを前記ワイヤレスデバイスにグラントするグラントメッセージを受信すること（１９２０）と、
前記グラントメッセージの内容に少なくとも部分的に基づいて、前記ワイヤレスデバイスの一時的デバイス識別子の長さが、前記ネットワークノードが前記第１のメッセージで受信することができる限界を超えているか否かを判定すること（１９３０）と、
前記一時的デバイス識別子が前記限界を超えていない場合、前記一時的デバイス識別子を含む前記第１のメッセージを前記ネットワークノードに送信すること（１９４０）と、
前記一時的デバイス識別子が前記限界を超えている場合、
前記一時的デバイス識別子の第１の部分を含む前記第１のメッセージを前記ネットワークノードに送信すること（１９５０）と、
前記一時的デバイス識別子の第２の部分を含む第２のメッセージを前記ネットワークノードに送信すること（１９６０）と、を含む、ワイヤレスデバイスによって実施される方法（１９００）。
【請求項２】
命令を記憶するように設定されたメモリ（１３０、２１５、３９０−１、３９０−２）と、
前記命令を実行するように設定された処理回路（１２０、２０１、３６０、５３８）とを備える、ワイヤレスデバイス（１１０、２００、３３０、４９１、４９２、５３０）であって、
ネットワークノードに対して、第１のメッセージを送信するためのリソースを前記ワイヤレスデバイスにグラントするように前記ネットワークノードに要求する要求メッセージを送信し、
前記ネットワークノードから、前記第１のメッセージを送信するための前記リソースを前記ワイヤレスデバイスにグラントするグラントメッセージを受信し、
前記グラントメッセージの内容に少なくとも部分的に基づいて、前記ワイヤレスデバイスの一時的デバイス識別子の長さが、前記ネットワークノードが前記第１のメッセージで受信することができる限界を超えているか否かを判定し、
前記一時的デバイス識別子が前記限界を超えていない場合、前記一時的デバイス識別子を含む前記第１のメッセージを前記ネットワークノードに送信し、
前記一時的デバイス識別子が前記限界を超えている場合、
前記一時的デバイス識別子の第１の部分を含む前記第１のメッセージを前記ネットワークノードに送信し、
前記一時的デバイス識別子の第２の部分を含む第２のメッセージを前記ネットワークノードに送信するように設定される、ワイヤレスデバイス（１１０、２００、３３０、４９１、４９２、５３０）。
【請求項３】
コンピュータ可読プログラムコードを記憶する非一時的コンピュータ可読媒体（１３０、２１５、３９０−１、３９０−２）を備え、前記コンピュータ可読プログラムコードが、
ネットワークノードに対して、第１のメッセージを送信するためのリソースをワイヤレスデバイスにグラントするように前記ネットワークノードに要求する要求メッセージを送信するプログラムコードと、
前記ネットワークノードから、前記第１のメッセージを送信するための前記リソースを前記ワイヤレスデバイスにグラントするグラントメッセージを受信するプログラムコードと、
前記グラントメッセージの内容に少なくとも部分的に基づいて、前記ワイヤレスデバイスの一時的デバイス識別子の長さが、前記ネットワークノードが前記第１のメッセージで受信することができる限界を超えているか否かを判定するプログラムコードと、
前記一時的デバイス識別子が前記限界を超えていない場合、前記一時的デバイス識別子を含む前記第１のメッセージを前記ネットワークノードに送信するプログラムコードと、
前記一時的デバイス識別子が前記限界を超えている場合、
前記一時的デバイス識別子の第１の部分を含む前記第１のメッセージを前記ネットワークノードに送信し、
前記一時的デバイス識別子の第２の部分を含む第２のメッセージを前記ネットワークノードに送信するプログラムコードと、を含む、コンピュータプログラム製品。
【請求項４】
第５世代システム一時的移動加入者識別情報（５Ｇ−Ｓ−ＴＭＳＩ）の第１の部分を含む第１のメッセージをネットワークノードに送信すること（２０１０）と、
前記５Ｇ−Ｓ−ＴＭＳＩの第２の部分を含む第２のメッセージを前記ネットワークノードに送信すること（２０２０）と、を含む、ワイヤレスデバイスによって実施される方法（２０００）。
【請求項５】
命令を記憶するように設定されたメモリ（１３０、２１５、３９０−１、３９０−２）と、
前記命令を実行するように設定された処理回路（１２０、２０１、３６０、５３８）とを備える、ワイヤレスデバイス（１１０、２００、３３０、４９１、４９２、５３０）であって、
第５世代システム一時的移動加入者識別情報（５Ｇ−Ｓ−ＴＭＳＩ）の第１の部分を含む第１のメッセージをネットワークノードに送信し、
前記５Ｇ−Ｓ−ＴＭＳＩの第２の部分を含む第２のメッセージを前記ネットワークノードに送信するように設定される、ワイヤレスデバイス（１１０、２００、３３０、４９１、４９２、５３０）。
【請求項６】
前記第１のメッセージが無線リソース制御（ＲＲＣ）要求を含む、請求項５に記載のワイヤレスデバイス。
【請求項７】
前記第２のメッセージがＲＲＣセットアップ完了メッセージを含む、請求項５又は６に記載のワイヤレスデバイス。
【請求項８】
前記第２のメッセージが、ＲＲＣセットアップメッセージを前記ネットワークノードから受信したことに応答して送信される、請求項５から７のいずれか一項に記載のワイヤレスデバイス。
【請求項９】
前記第１のメッセージ及び前記第２のメッセージを送信する前に、
前記ネットワークノードに対して、前記第１のメッセージを送信するためのリソースを前記ワイヤレスデバイスにグラントするように前記ネットワークノードに要求する要求メッセージを送信し、
前記ネットワークノードから、前記第１のメッセージを送信するための前記リソースを前記ワイヤレスデバイスにグラントするグラントメッセージを受信するように設定される、請求項５から８のいずれか一項に記載のワイヤレスデバイス。
【請求項１０】
前記第１のメッセージ及び前記第２のメッセージを送信する前に、前記５Ｇ−Ｓ−ＴＭＳＩを前記第１の部分及び前記第２の部分に分割するように設定される、請求項５から９のいずれか一項に記載のワイヤレスデバイス。
【請求項１１】
前記５Ｇ−Ｓ−ＴＭＳＩを前記第１の部分及び前記第２の部分に分割することが、前記５Ｇ−Ｓ−ＴＭＳＩの長さが、前記ネットワークノードが前記第１のメッセージで受信することができる限界を超えているとの判定に基づく、請求項１０に記載のワイヤレスデバイス。
【請求項１２】
前記ワイヤレスデバイスが、前記ネットワークノードから受信する情報に少なくとも部分的に基づいて、前記５Ｇ−Ｓ−ＴＭＳＩのどの部分を前記第２のメッセージに含めるかを判定するようにさらに設定される、請求項５から１１のいずれか一項に記載のワイヤレスデバイス。
【請求項１３】
コンピュータ可読プログラムコードを記憶する非一時的コンピュータ可読媒体（１３０、２１５、３９０−１、３９０−２）を備え、前記コンピュータ可読プログラムコードが、
第５世代システム一時的移動加入者識別情報（５Ｇ−Ｓ−ＴＭＳＩ）の第１の部分を含む第１のメッセージをネットワークノードに送信するプログラムコードと、
前記５Ｇ−Ｓ−ＴＭＳＩの第２の部分を含む第２のメッセージを前記ネットワークノードに送信するプログラムコードと、を含む、コンピュータプログラム製品。
【請求項１４】
第５世代システム一時的移動加入者識別情報（５Ｇ−Ｓ−ＴＭＳＩ）の第１の部分を含む第１のメッセージをワイヤレスデバイスから受信すること（２１１０）と、
前記５Ｇ−Ｓ−ＴＭＳＩの第２の部分を含む第２のメッセージを前記ワイヤレスデバイスから受信すること（２１２０）と、
前記ワイヤレスデバイスから受信した前記５Ｇ−Ｓ−ＴＭＳＩの前記第１の部分及び前記５Ｇ−Ｓ−ＴＭＳＩの前記第２の部分を再アセンブルすることによって、前記５Ｇ−Ｓ−ＴＭＳＩを取得すること（２１３０）と、を含む、ネットワークノードによって実施される方法（２１００）。
【請求項１５】
命令を記憶するように設定されたメモリ（１８０、３９０−１、３９０−２）と、
前記命令を実行するように設定された処理回路（１７０、３６０、５２８）とを備える、ネットワークノード（１６０、３３０、４１２、５２０）であって、
第５世代システム一時的移動加入者識別情報（５Ｇ−Ｓ−ＴＭＳＩ）の第１の部分を含む第１のメッセージをワイヤレスデバイスから受信し、
前記５Ｇ−Ｓ−ＴＭＳＩの第２の部分を含む第２のメッセージを前記ワイヤレスデバイスから受信し、
前記ワイヤレスデバイスから受信した前記５Ｇ−Ｓ−ＴＭＳＩの前記第１の部分及び前記５Ｇ−Ｓ−ＴＭＳＩの前記第２の部分を再アセンブルすることによって、前記５Ｇ−Ｓ−ＴＭＳＩを取得するように設定される、ネットワークノード（１６０、３３０、４１２、５２０）。
【請求項１６】
前記取得した５Ｇ−Ｓ−ＴＭＳＩのサイズが、前記ネットワークノードが前記第１のメッセージで受信することができる限界を超えている、請求項１５に記載のネットワークノード。
【請求項１７】
前記第１のメッセージが無線リソース制御（ＲＲＣ）要求を含む、請求項１５又は１６に記載のネットワークノード。
【請求項１８】
前記第２のメッセージがＲＲＣセットアップ完了メッセージを含む、請求項１５から１７のいずれか一項に記載のネットワークノード。
【請求項１９】
前記ネットワークノードが、前記第１のメッセージの受信に応答して、ＲＲＣセットアップメッセージを前記ワイヤレスデバイスに送信するようにさらに設定される、請求項１５から１８のいずれか一項に記載のネットワークノード。
【請求項２０】
前記第１のメッセージ及び前記第２のメッセージを受信する前に、
前記ワイヤレスデバイスから、前記第１のメッセージを送信するためのリソースを前記ワイヤレスデバイスにグラントするように前記ネットワークノードに要求する要求メッセージを受信し、
前記ワイヤレスデバイスに、前記第１のメッセージを送信するための前記リソースを前記ワイヤレスデバイスにグラントするグラントメッセージを送信するように設定される、請求項１５から１９のいずれか一項に記載のネットワークノード。
【請求項２１】
前記ネットワークノードが、前記ワイヤレスデバイスに、前記５Ｇ−Ｓ−ＴＭＳＩのどのビットを前記第１の部分又は前記第２の部分に含めるかを示す情報を送信するようにさらに設定される、請求項１５から２０のいずれか一項に記載のネットワークノード。
【請求項２２】
前記ネットワークノードが、前記ワイヤレスデバイスに、前記ネットワークノードが前記第１のメッセージで受信することができる前記５Ｇ−Ｓ−ＴＭＳＩの前記第１の部分の長さを示すインジケータを送信するようにさらに設定される、請求項１５から２１のいずれか一項に記載のネットワークノード。
【請求項２３】
前記ネットワークノードが、前記５Ｇ−Ｓ−ＴＭＳＩを使用して、前記ワイヤレスデバイスを後続のメッセージにおいて識別するようにさらに設定される、請求項１５から２２のいずれか一項に記載のネットワークノード。
【請求項２４】
コンピュータ可読プログラムコードを記憶する非一時的コンピュータ可読媒体（１８０、３９０−１、３９０−２）を備え、前記コンピュータ可読プログラムコードが、
第５世代システム一時的移動加入者識別情報（５Ｇ−Ｓ−ＴＭＳＩ）の第１の部分を含む第１のメッセージをワイヤレスデバイスから受信するプログラムコードと、
前記５Ｇ−Ｓ−ＴＭＳＩの第２の部分を含む第２のメッセージを前記ワイヤレスデバイスから受信するプログラムコードと、
前記ワイヤレスデバイスから受信した前記５Ｇ−Ｓ−ＴＭＳＩの前記第１の部分及び前記５Ｇ−Ｓ−ＴＭＳＩの前記第２の部分を再アセンブルすることによって、前記５Ｇ−Ｓ−ＴＭＳＩを取得するプログラムコードと、を備える、コンピュータプログラム製品。